(57)【要約】【課題】赤外線の発光・受光素子を使用したディスプレイ開閉検出装置を採用する場合、赤外線を入射させる際の外光による影響を抑え、精度の高いディスプレイ開閉検出装置を提供することを目的とする。【解決手段】本発明は、ディスプレイ部１と、ディスプレイ部を回動可能にした支持手段１５と、支持手段１５により、ディスプレイ部と接続されている本体部２とを備えたディスプレイ開閉検出装置において、ディスプレイ部１の内部に設けた赤外線を発光する発光部６と、本体部の内部に設けた赤外線を受光する受光部１０と、発光部６が発光する赤外線を集光し、受光部１０に赤外線を導光する導光部１２と、受光部１０と接続され、受光部１０が赤外線を受光するとディスプレイの電源をオフにする制御部１３と、本体部の外側に配置され、導光部に発光部６から発光される赤外線以外の外光が入射されないように外光を遮蔽する遮蔽手段１４とを有する。【選択図】図５
2012014322.tif 000002
【特許請求の範囲】
【請求項１】
映像を表示するディスプレイ部と、前記ディスプレイ部を回動可能にした支持手段と、前記支持手段により、前記ディスプレイ部と接続され、前記ディスプレイ部を閉じた状態では収納し、前記ディスプレイ部を開いた状態では、映像を配信する本体部とを備えたディスプレイ開閉検出装置において、
前記ディスプレイ部は、
前記ディスプレイ部の内部に設けた赤外線を発光する発光部を有し、
前記本体部は、
前記本体部の内部に設け、ディスプレイ部が閉状態のときに赤外線を受光する受光部と、
前記本体部に内部に設けられ、ディスプレイ部が閉状態のときに前記発光部が発光する赤外線を集光して前記受光部に赤外線を導光する導光部と、
前記受光部と接続され、ディスプレイ部が閉状態のときに前記受光部が赤外線を受光するとディスプレイの電源をオフにする制御部と、
前記本体部の外側に配置され、前記導光部に入射する外光を遮蔽する遮蔽手段とを有するディスプレイ開閉検出装置。
【請求項２】
前記導光部は、二等辺三角形の突起部を２つ配置して前記発光部から発光される赤外線を集光する請求項１記載のディスプレイ開閉検出装置。
【請求項３】
前記遮蔽手段は、開状態のディスプレイ部の背面と隙間を有し、ディスプレイ部の背面に沿って下方に伸びた請求項１記載のディスプレイ開閉検出装置。
【発明の詳細な説明】
【技術分野】
【０００１】
本発明は、車両用ディスプレイの開閉検出装置に関するものである。
【背景技術】
【０００２】
ディスプレイ開閉検出装置としては赤外線の発光・受光素子を有し、いずれかを開閉動作部に設置することによって検出する装置が知られている。（特許文献１参照）
【先行技術文献】
【特許文献】
【０００３】
【特許文献１】特開平６−０４４８７８号公報
【発明の概要】
【発明が解決しようとする課題】
【０００４】
しかしながら、赤外線の発光・受光素子を使用したディスプレイ開閉検出装置を採用する場合、赤外線を入射させる際に外光による影響を受けて、スイッチの誤動作が発生するという問題が起こる。
【０００５】
本発明は、この問題を解決するためになされたもので、赤外線を入射させる際の外光による影響を抑え、精度の高い開閉検出装置を提供することを目的とする。
【課題を解決するための手段】
【０００６】
上記目的を達成するために本発明は、映像を表示するディスプレイ部と、ディスプレイ部を回動可能にした支持手段と、支持手段により、ディスプレイ部と接続され、ディスプレイ部を閉じた状態では収納し、ディスプレイ部を開いた状態では、映像を配信する本体部とを備えたディスプレイ開閉検出装置において、ディスプレイ部は、ディスプレイ部の内部に設けた赤外線を発光する発光部を有し、本体部は、本体部の内部に設け、ディスプレイ部が閉状態のときに赤外線を受光する受光部と、本体部に内部に設けられ、ディスプレイ部が閉状態のときに発光部が発光する赤外線を集光して受光部に赤外線を導光する導光部と、受光部と接続され、ディスプレイ部が閉状態のときに受光部が赤外線を受光するとディスプレイの電源をオフにする制御部と、本体部の外側に配置され、導光部に入射する外光を遮蔽する遮蔽手段とを有するディスプレイ開閉検出装置である。
【発明の効果】
【０００７】
本発明によれば、外光による受光部の誤検出を防止し、赤外線の発光・受光素子を使用したディスプレイ部の開閉検出精度を高めるという効果を奏する。
【図面の簡単な説明】
【０００８】
【図１】本発明の実施形態におけるディスプレイ開閉検出装置のディスプレイ部の閉状態時の斜視図
【図２】本発明の実施形態におけるディスプレイ開閉検出装置のディスプレイ部の開状態時の斜視図
【図３】本発明の実施形態におけるディスプレイ装置の分解側面図
【図４】同図１のＡ−Ａ断面図を矢印Ｃから見たときの図
【図５】同図２のＢ−Ｂ断面図を矢印Ｄから見たときの図
【図６】本発明の実施形態におけるディスプレイ開閉検出装置における導光部の形状を示す図
【発明を実施するための形態】
【０００９】
以下、本発明の実施形態におけるディスプレイ開閉検出装置について図面を参照しながら説明する。
【００１０】
図１は実施形態におけるディスプレイ開閉検出装置のディスプレイ部の閉状態時の斜視図、図２は本発明の実施形態におけるディスプレイ開閉検出装置のディスプレイ部の開状態時の斜視図である。
【００１１】
図１において、ディスプレイ開閉検出装置は、自動車の天井に固定された本体部２と、前記本体部に固定されたディスプレイ部１から構成されている。
【００１２】
図１では、ディスプレイ部１の表示部３は収納された状態であり、表示部３の電源はＯＦＦの状態である。
【００１３】
図２では、ディスプレイ部１の表示部３は開いている状態であり、ディスプレイ部１の電源はＯＮの状態である。
【００１４】
図３は、本発明の実施形態におけるディスプレイ装置の分解側面図である。
【００１５】
ディスプレイ部１は、表示部３と、フロントパネル４と、表示部基板５と、発光素子６と、リアパネル７とを備える。
【００１６】
フロントパネル４は、表示部３の表示される面の外枠を覆うように配置された外装部材である。表示部基板５は、表示部３に接続され、赤外線を発光する発光素子６が実装されている。リアパネル７は、表示部３の表示される面の背面に配置された外装部材である。
【００１７】
本体部２は、筐体部８と、メイン基板９と、受光素子１０と、ベースカバー１１と、導光部１２と、制御部１３と、ガーニッシュ１４とを備える。
【００１８】
筐体部８は、自動車天井に固定される外装部材である。メイン基板９は、筐体部８の自動車天井に固定された面と反対側の面に配置される。受光素子１０は、このメイン基板９に実装され、赤外線を受光する。ベースカバー１１は、メイン基板９に接続され、図３におけるメイン基板９の底面を覆うように配置される。導光部１２は、メイン基板９とベースカバー１１の間に配置されており、発光素子６からの赤外線を入射し、受光する受光素子１０へと導光する。制御部１３は、受光素子１０が赤外線を受光したことを検知するためのメイン基板９上に配置されている。ガーニッシュ１４は、筐体部８の側面部を覆うように配置されている。
【００１９】
導光部１２は、高い透過性を持つアクリル樹脂を使用する。
【００２０】
さらに、本体部２全体を覆い、本体部を保護するとともに、孔２１に赤外線以外の外光を入りにくくするための外光遮蔽手段であるガーニッシュ１４が配置されている。
【００２１】
ディスプレイ部１と本体部２は、支持手段であるヒンジ部１５部によって接続されている。
【００２２】
図４は、本発明の実施形態における同図１のＡ−Ａ断面図を矢印Ｃから見たときの図
である。
【００２３】
図４に示すように、フロントパネル４には、赤外線を通すための孔２０が、表示部３が
表示される面の上辺部分に設けられている。また、ベースカバー１１には、発光素子６からの赤外線を通すために、孔２１が空いている。
【００２４】
ディスプレイ部１が閉じている状態においては、発光素子６から発光した赤外線は、フロントパネル４に設置された孔２０を通過し、べースカバー１１に設置された孔２１を通って導光部１２へと達する。導光部１２へと達した赤外線は受光素子１０へと導光される。メイン基板９上の制御部１３は、受光素子１０が接続されている。この制御部１３は、受光素子１０が赤外線を受光したことを検知する。そして、制御部１３が受光素子１０が赤外線を受光したことを検知すると、制御部１３は、表示部３を消灯するように表示部３の電源部（図示せず）に指示を出す。すなわち、ディスプレイ部１が閉じている状態においては、表示部３の電源はＯＦＦの状態になる。
【００２５】
図５は、本発明の実施形態における同図２のＢ−Ｂ断面図を矢印Ｄから見たときの図
である。
【００２６】
図５に示すように、ディスプレイが開いている状態においては、発光素子６から発光した赤外線３０２は、フロントパネル４に設置された孔２０を通過し、ベースカバー１１へと達する。そのため、発光素子６から発光された赤外線は、ベースカバー１１の孔２１へは入射せず、受光素子１０に達しない。そして、受光素子１０が接続されている制御部１３は、受光素子１０による赤外線の受光を検出しないため、ディスプレイの電源はＯＮの状態になる。
【００２７】
このとき、ディスプレイの開角度は１２５度であり、リアパネル７とガーニッシュ１４のと隙間が湾曲している。この両者の間隔が１．５ｍｍになるように配置されるため、図５の３０１に示すように、外光が直接孔２１を通過して、導光部１２に入射することはない。そのため、受光素子１０は外光の影響を受けにくい。
【００２８】
図６は、本発明の実施形態におけるディスプレイ開閉検出装置における導光部１２の形状を示す図である。
【００２９】
本実施の形態においては、発光素子６から発光される赤外線が導光部１２に入射する箇所に、三角形状の突起部３１、３２を２個設置することにより、受光素子へと導光される赤外線の経路を２経路とした。突起部３１、３２は、二等辺三角形の形状をし、導光部１２との接面を底辺とする。突起部３１、３２は底辺と頂点とのなす角度を５０度とした。
【００３０】
この突起部３１、３２の図６から見て、左側面から赤外線１０４a、１０４ｂが入射し、導光部１２内で屈折して赤外線１０５a、１０５ｂとなる。
【００３１】
これにより、入射した赤外線１０５a、１０５ｂは、面１０１に到達する。面１０１は面１０９に対して３９．５度傾斜させた面である。赤外線１０５a、１０５ｂが、面１０１に到達すると、赤外線１０５a、１０５ｂは面１０１に反射して、赤外線１０６a、１０６ｂとなる。このとき、赤外線１０６a、１０６ｂは、面１０７に対してほぼ平行になるような光路を辿り、面１０２に到達する。
【００３２】
面１０２は面１０９に対して３９．５度傾斜させた面である。赤外線１０６a、１０６ｂが面１０２に到達すると、面１０２に反射して、赤外線１０７a、１０７ｂとなる。
この赤外線１０７a、１０７ｂは、面１０３に到達する。
【００３３】
面１０３は面１１０に対して３９．５度傾斜させた面である。赤外線１０７a、１０７ｂは、面１０３に到達すると、面１０３に反射して赤外線１０８a、１０８ｂとなる。そ
して、この赤外線１０８a、１０８ｂが受光素子１０に到達する。
【００３４】
突起部３１、３２を２つ設けることにより、突起を一つしか設けないときよりも発光素子６から発光した赤外線を集光することができる。
【００３５】
アクリル樹脂の全反射角が４２．１度であるので、面１０１〜１０３は全反射角４２．１度以下である３９．５度に設定した。
【産業上の利用可能性】
【００３６】
本発明のディスプレイ開閉検出装置は、特に自動車の天井に搭載される回動式ディスプレイの開閉検出装置として有用である。
【符号の説明】
【００３７】
１  ディスプレイ部
２  本体部
３  表示部
４  フロントパネル
５  表示部基板
６  発光素子
７  リアパネル
８  筐体部
９  メイン基板
１０  受光素子
１１  ベースカバー
１２  導光部
１３  制御部
１４  ガーニッシュ
１５  ヒンジ部
２０、２１  孔
３１、３２  突起部
１０１、１０２、１０３  面
１０４a〜１０８ａ、１０４ｂ〜１０８ｂ  赤外線の経路
【図１】
2012014322.tif 000003
【図２】
2012014322.tif 000004
【図３】
2012014322.tif 000005
【図４】
2012014322.tif 000006
【図５】
2012014322.tif 000007
【図６】
2012014322.tif 000008